(57)【特許請求の範囲】
【請求項１】
画面に地図を表示する地図表示装置において、
袋文字表示、半透過表示、縁取り表示、影付け表示の装飾処理を用いて文字を表示する文字表示手段を備え、
前記文字表示手段は、表示する文字のサイズに応じて文字の装飾処理を決定し、該決定した文字を前記地図に重ねて前記画面に表示するように構成されており、
文字のサイズが大きいときには袋文字表示または半透過表示を行い、文字のサイズが小さいときには縁取り表示または影付け表示を行うことを特徴とする地図表示装置。
【請求項２】
前記文字表示手段は、装飾処理された文字の縁取り部分または影部分の装飾部分の色を変えて表示するように構成されていることを特徴とする請求項１記載の地図表示装置。
【請求項３】
前記文字表示手段は、表示する地図の縮尺に応じて文字のサイズを変化させるように構成されていることを特徴とする請求項１又は２に記載の地図表示装置。
【発明の詳細な説明】
【０００１】
【発明の属する技術分野】
本発明は、例えばカーナビゲーションシステムに組み込むことに適した地図表示装置に関する。
【０００２】
【従来の技術】
カーナビゲーションシステムにおいて、ディスプレイの画面に地図が表示される場合、道路等の地図が表示されると共に、この地図の上に地名や施設の名称や建物の名称等が重ねて表示されるように構成されている。地名や名称等の文字を表示するに当たっては、例えば図６に示すように、予め決められた色で単色表示されるように構成されている。尚、図６では、例えば「あ」という文字を表示する例を示している。
【０００３】
【発明が解決しようとする課題】
ところで、地図の画面に表示されている文字のサイズ（表示サイズ）は、大小いろいろある。各文字の表示サイズは、地名や名称毎に予め決められていると共に、地図の縮尺に応じて変化されたり、ユーザーによって所望のサイズに設定されたりするように構成されている。ここで、図６に示すように、文字（例えば「あ」）を通常のサイズ（標準サイズ）で表示する場合は、目立ちすぎることもないし、目立たないこともなく、ほとんど問題はない。
【０００４】
これに対して、図７に示すように、文字を大きいサイズで表示する場合には、目立ちすぎてしまい、背景や道路を消す部分が多くなり、地図の認識性が低下するという問題点があった。一方、図８に示すように、文字を小さいサイズで表示する場合には、目立たなくなり、その文字を読み難くなることから、やはり地図の認識性が低下するという問題点があった。
【０００５】
そこで、本発明の目的は、地図を表示した画面に地名や名称等の文字を表示する場合に、地図の認識性を向上させることができる地図表示装置を提供することにある。
【０００６】
【課題を解決するための手段】
請求項１の発明によれば、袋文字表示、半透過表示、縁取り表示、影付け表示の装飾処理を用いて文字を表示する文字表示手段を備え、そして、文字表示手段により、表示する文字のサイズに応じて文字の装飾処理を決定し、該決定した文字を地図に重ねて画面に表示するように構成し、文字のサイズが大きいときには袋文字表示または半透過表示を行い、文字のサイズが小さいときには縁取り表示または影付け表示を行うようにしたので、地図の画面において、文字のサイズが大きなって表示した文字が目立ちすぎるような場合は、目立たなくなるような装飾処理を用いて文字を表示できるので、文字が適切に表示され、反対に、文字のサイズが小さくなって表示した文字が目立たないような場合は、目立つような装飾処理を用いて文字を表示できるいので、文字が適切に表示される。これにより、地図の認識性が向上する。
【０００７】
請求項２の発明によれば、文字表示手段によって、装飾処理された文字の縁取り部分または影部分の装飾部分の色を変えて表示するように構成したので、地図の画面において、文字をより一層適切に表示することができ、従って、地図の認識性がより一層向上する。
【００１０】
また、請求項３の発明のように、文字表示手段によって、表示する地図の縮尺に応じて文字のサイズを変化させるように構成することが好ましい。
【００１１】
【発明の実施の形態】
以下、本発明をカーナビゲーションシステムに適用した一実施例について、図１ないし図５を参照しながら説明する。まず、図１は、本実施例のカーナビゲーションシステム１の全体構成を概略的に示すブロック図である。この図１に示すように、カーナビゲーションシステム１は、制御部２と、位置検出部３と、表示部４と、スイッチ情報入力部５と、地図データ格納部６と、音声出力部７と、メモリ部８とを備えて構成されている。
【００１２】
ここで、位置検出部３は、地磁気センサや、ジャイロスコープや、距離センサや、ＧＰＳ（Global Positioning System ）受信機等から構成されている。上記位置検出部３は、上記各センサにより互いに補間しながら車両の現在位置を検出するように構成されており、高精度の位置検出機能を有している。尚、位置検出精度をそれほど必要としない場合には、上記センサのうちの何れかで（または複数のセンサの組み合わせで）位置検出部３を構成しても良い。
【００１３】
そして、表示部４は、例えば液晶ディスプレイ等で構成されており、カラー表示が可能であると共に、地図や文字や画像等を明確に表示可能である画面を備えている。この表示部４の画面には、車両の現在位置マークと、地図データと、地図上に表示する誘導経路等の付加データとを重ねて表示できるように構成されている。
【００１４】
また、スイッチ情報入力部５は、上記表示部４の表示画面の上面に設けられたタッチスイッチ（タッチパネル）と、上記表示画面の周辺部に設けられたメカニカルなプッシュスイッチ等とから構成されている。更に、地図データ格納部６は、例えばＤＶＤ−ＲＯＭ等の記録媒体を読み取る読取装置で構成されており、地図データやマップマッチング用データや目印データ等の各種データを入力するための装置である。尚、上記記録媒体としては、例えばＣＤ−ＲＯＭやメモリカードやハードディスク等を用いても良い。
【００１５】
また、音声出力部７は、例えばスピーカで構成されており、案内のための音声や画面操作のための音声等を出力するものである。メモリ部８は、例えばＲＯＭやＲＡＭ等で構成されており、カーナビゲーションシステム１の動作を制御するプログラム等を格納したり、該プログラムのワークメモリを確保したり、地図データ格納部６から入力した地図データ等を一時的に格納したりする機能を有している。
【００１６】
さて、制御部２は、カーナビゲーションシステム１の動作全般を制御する機能を有している。この制御部２は、地図データ取得部９と、マップマッチング部１０と、経路計算部１１と、経路案内部１２と、描画部１３と、画面制御管理部１４とを備えて構成されている。
【００１７】
この構成の場合、マップマッチング部１０は、位置検出部３で検出した位置情報と地図データ格納部６から取得した地図データの道路形状データ等に基づいて、車両の現在位置を地図の道路上に位置付ける処理（いわゆるマップマッチング処理）を実行する。このとき、地図データ取得部９によって、マップマッチング処理に必要な地図データが地図データ格納部６から取得されるように構成されている。尚、上記地図データ取得部９は、制御部２の他の種々の機能や処理を実行するときに、それぞれ必要な地図データを地図データ格納部６から取得するように構成されている。
【００１８】
また、ユーザーは、スイッチ情報入力部５またはリモコン（図示しない）を操作することにより、所望の地図を表示部４に表示すると共に、目的地を設定することが可能なように構成されている。そして、目的地が設定されると、上記制御部２の経路計算部１１は、現在位置（またはユーザーが指定した出発地）から上記目的地までの最適経路（誘導経路）を自動的に計算して設定する機能を有している。尚、上記自動的に最適経路を設定する方法としては、例えばダイクストラ法等が知られている。
【００１９】
また、制御部２の経路案内部１２は、上記経路計算の結果と、地図データ内の道路形状データや交差点の位置情報や踏切りの位置情報等とに基づいて、案内に必要なポイントを演算して求めたり、どのような案内（例えば右に曲がる、左に曲がる等）が必要なのかを演算して求めたりする機能を有している。更に、制御部２の描画部１３は、現在位置の地図や高速道路の略図や交差点付近の拡大図等を、画面制御管理部１４の指示に従って、表示部４に表示する機能を有している。この構成の場合、描画部１３が文字表示手段としての機能を有している。
【００２０】
次に、上記構成のカーナビゲーションシステム１において、制御部２の描画部１３が表示部４に地図と共に地名や施設の名称や建物の名称等の文字を表示する制御（以下、文字表示制御と称す）の動作について、図２、図３、図４、図５及び図６も参照して説明する。尚、図２のフローチャートは、カーナビゲーションシステム１の制御部２の制御プログラムの中の上記文字表示制御に対応する部分の内容を示すものである。
【００２１】
まず、上記文字表示制御を実行する前に、制御部２の描画部１３は、表示部４に道路や施設や建物等の画像からなる地図（即ち、名称等の文字を除く地図）を周知の地図表示制御によって表示しておく。この状態で、図２のステップＳ１０１へ進み、描画部１３は、地図データ格納部６から取得した地図データの中から地名や施設の名称や建物の名称等の名称データを読み込む。この名称データには、名称を構成する文字のデータ、その表示サイズ、画面上の表示位置等の情報が含まれている。
【００２２】
続いて、ステップＳ１０２へ進み、描画部１３は、読み込んだ名称データに基づいて、その名称の文字を通常（標準）の表示サイズで表示するか、大きく表示するか、小さく表示するかを判断する。この場合、地図データ（名称データ）に予め設定されている文字の表示サイズで判断する他に、表示部４に表示する地図の縮尺に応じても文字の表示サイズが変化することから、この変化した表示サイズについても判断するようにしている。更に、表示部４に地図を例えば３Ｄ表示する場合には、文字の表示位置の遠近に応じても文字の表示サイズが変化することから、この変化した表示サイズについても判断するようにしている。
【００２３】
そして、上記ステップＳ１０２において、名称の文字を大きく表示すると判断された場合には、ステップＳ１０３へ進み、描画部１３は、大きいサイズの文字を目立たなくする装飾処理を実行する。この場合、具体的には、名称の文字を袋文字表示するように修飾する。続いて、ステップＳ１０４へ進み、描画部１３は、袋文字表示の修飾を行った大きいサイズの文字を表示部４に描画する。これにより、図３に示すように、大きいサイズの文字（例えば「文」の文字）が表示部４に袋文字表示される。この場合、大きいサイズの文字であっても、あまり目立たなくなり、適切な表示となる。
【００２４】
一方、上記ステップＳ１０２において、名称の文字を小さく表示すると判断された場合には、ステップＳ１０５へ進み、描画部１３は、小さいサイズの文字を目立つようにする装飾処理を実行する。この場合、具体的には、名称の文字を縁取り表示（または影付き表示）するように修飾する。続いて、ステップＳ１０４へ進み、描画部１３は、縁取り表示（または影付き表示）の修飾を行った小さいサイズの文字を表示部４に描画する。これにより、図４に示すように、小さいサイズの文字（例えば「文」の文字）が表示部４に縁取り表示される。また、小さいサイズの文字（例えば「文」の文字）を影付き表示した例を、図５に示す。このように表示すると、小さいサイズの文字であっても、かなり目立たつようになり、適切な表示となる。
【００２５】
また、上記ステップＳ１０２において、名称の文字を通常（標準）のサイズで表示すると判断された場合には、装飾処理を実行せずに、ステップＳ１０４へ進む。そして、ステップＳ１０４では、描画部１３は、名称の文字を通常のサイズで表示部４に表示する。この場合、例えば「あ」という文字を通常のサイズで表示した例を、図６に示す（従来構成と同じ）。
【００２６】
さて、名称の文字を表示部４に表示した後は、ステップＳ１０６へ進み、表示する名称データがあるか否か（即ち、データエンドであるか否か）を判断する。ここで、データエンドでなければ、「ＮＯ」へ進み、ステップＳ１０１へ戻り、名称の文字を表示する処理を繰り返す。一方、データエンドであれば、「ＹＥＳ」へ進み、名称の文字の表示処理を終了する。
【００２７】
このような構成の本実施例によれば、袋文字表示、縁取り表示、影付け表示等の装飾処理を用いて、地名や施設の名称等の文字を表示する描画部（文字表示手段）１３を備えたので、地図の画面において、表示した文字が目立ちすぎるような場合には、目立たなくなるような装飾処理（例えば袋文字表示）を用いて文字を表示することが可能となる。これにより、文字があまり目立たないようになり、文字が適切に表示される。反対に、表示した文字が目立たないような場合には、目立つような装飾処理（例えば縁取り表示または影付け表示）を用いて文字を表示することが可能となる。これにより、文字がある程度目立つようになり、文字が適切に表示される。この結果、地図の認識性が向上する。
【００２８】
そして、上記実施例では、表示する文字のサイズに応じて、文字の装飾処理を決定するように構成したので、文字のサイズによって文字が目立ちすぎたり、反対に、文字が目立たなくなったりするときに、文字を適切に表示することができる。
【００２９】
尚、上記実施例においては、表示する文字のサイズが大きいときに、袋文字表示を行うように構成したが、これに代えて、半透過表示を行うように構成しても良い。この半透過表示は、袋文字表示された文字の袋部分（即ち、透明部分）を半透明にした表示である。従って、この半透過表示を行う構成の場合、袋文字表示とほぼ同じ作用効果を得ることができる。
【００３０】
また、上記実施例及び変形例では、描画部１３は、袋文字表示、半透過表示、縁取り表示または影付け表示の装飾処理を用いて文字を表示するように構成したが、これに限られるものではなく、他の装飾処理、例えばぼかし装飾表示等の装飾処理を用いて文字を表示するように構成しても良い。尚、上記ぼかし装飾表示は、文字の筆跡部分（線状部分）を例えば３段階に濃淡階調表示する表示であり、筆跡部分にぼかしがかかったような表示である。
【００３１】
更に、上記実施例においては、地図データ（即ち、名称データ）の中で予め設定された色で文字を単色表示するように構成したが、これに代えて、装飾処理された文字の縁取り部分、影部分、半透明部分等の装飾部分の色を、上記設定された色と適宜変えて表示するように構成しても良い。このように構成すると、文字をより一層適切に表示することができ、それだけ、地図の認識性が向上するようになる。
【００３２】
尚、上記実施例では、本発明をカーナビゲーションシステム１に適用したが、これに限られるものではなく、例えば携帯型のナビゲーション装置に適用しても良い。
【図面の簡単な説明】
【図１】本発明の一実施例を示すカーナビゲーションシステムのブロック図
【図２】文字表示制御のフローチャート
【図３】大きいサイズの文字を袋文字表示した地図の画面を示す図
【図４】小さいサイズの文字を縁取り表示した地図の画面を示す図
【図５】小さいサイズの文字を影付き表示した地図の画面を示す図
【図６】従来構成を示すものであって、通常のサイズの文字を表示した地図の画面を示す図
【図７】大きいサイズの文字を表示した地図の画面を示す図
【図８】小さいサイズの文字を表示した地図の画面を示す図
【符号の説明】
１はカーナビゲーションシステム、２は制御部、３は位置検出部、４は表示部、６は地図データ格納部、９は地図データ取得部、１０はマップマッチング部、１３は描画部（文字表示手段）、１４は画面制御管理部を示す。
【図１】
0003961799.tif 000002
【図２】
0003961799.tif 000003
【図３】
0003961799.tif 000004
【図４】
0003961799.tif 000005
【図５】
0003961799.tif 000006
【図６】
0003961799.tif 000007
【図７】
0003961799.tif 000008
【図８】
0003961799.tif 000009